(57)【要約】【課題】衣類の折り返し部分一帯における畳み皺の発生を防止できるとともに、衣類の折り返し部分からの抜け落ちがし難い衣類の畳み皺防止具を提供する。【解決手段】衣類の畳み皺防止具１０は、涙滴筒形状で、かつその涙滴の先細端に該当する部分にシート部１２を有した外装チューブ１３と、外装チューブ１３に挿入される涙滴棒形状のパッド１４とを備えている。使用時には、衣類の畳み皺防止具１０を着物１１の折り返し部分１１ａに挿入する。そのため、着物１１の折り返し部分１１ａの一帯における畳み皺の発生を防げる。しかも、使用時における着物１１の折り返し部分１１ａでの高い位置安定性も得られる。【選択図】図１
2007202620.tif 000002
【特許請求の範囲】
【請求項１】
着物および帯などの衣類の折り返し部分に挿入される衣類の畳み皺防止具において、
涙滴筒形状で、かつその涙滴の先細端に該当する部分にシート部を有した外装チューブと、
該外装チューブに挿入される涙滴棒形状のパッドとを備えた衣類の畳み皺防止具。
【請求項２】
前記外装チューブには通気孔が形成され、
前記パッドは不織布製のパッド外袋を有し、
該パッド外袋には、該パッド外袋の中心部から外周部へ向かって、竹炭と、石灰石と、珪藻土または麦飯石とが３層構造で順に収納された請求項１に記載の衣類の畳み皺防止具。
【請求項３】
前記外装チューブは、１枚のポリプロピレン製のシートの両端部を重ね合わせて熱融着し、この熱融着部分を前記シート部とした請求項１または請求項２に記載の衣類の畳み皺防止具。
【発明の詳細な説明】
【技術分野】
【０００１】
この発明は衣類の畳み皺防止具、詳しくは着物や帯といった衣類の折り返し部分の内側に挟み込まれ、衣類を折り畳んだ際の皺の発生を防止する衣類の畳み皺防止具に関する。
【背景技術】
【０００２】
和服（着物、帯、羽織など）は、矩形状に折り畳んだ後、文庫紙に包んでから箪笥や専用の収納箱に収めて保管されている。
和服は着用の機会が少ないことから長期にわたって保管されがちである。しかも、保管時には、複数枚の着物を重ねた状態で保管される場合が多い。そのため、保管中、着物の折り返し部分に畳み皺が発生し易い。
【０００３】
そこで、これを解消するものとして、従来、例えば特許文献１の和服用保護棒が開発されている。これは、適度の弾力性を有する円柱状の芯材と、この芯材の周囲に巻回される整形材と、整形材の周囲に巻回され、その両端が係止される被覆材とにより構成されたものである。また、特許文献１の明細書中には、被覆材の長さ方向の一端部内に芳香剤を入れてもよいことが記載されている。なお、状況に応じては芳香剤に代えて、消臭剤、防虫剤の使用もよいと開示されている。
【０００４】
特許文献１の使用時には、和服用保護棒を着物の折り返し部分の内側に挿入する。これにより、着物の折り返し部分に発生する折り皺を防ぐ。芳香剤を被覆材内に入れた場合には、服に香りが移り、香りも楽しめる。
【特許文献１】実開平６−７９３７２号公報
【発明の開示】
【発明が解決しようとする課題】
【０００５】
しかしながら、特許文献１では芯材が円柱状であった。これにより、着物の折り返し部分から直ちに下側の布と上側の布とが接触して重なり合うことはないものの、和服用保護棒の支持から外れた直後から大きく折れ曲がっていた。その結果、この外れた部分に皺が生じていた。
しかも、このように芯材が円柱状であったため、和服用保護棒が挿着された着物を箪笥などに入れるとき、着物が傾いた際に和服用保護棒がその長さ方向へ位置ずれし、折り返し部分から抜け落ち易かった。
また、芳香剤、状況に応じて使用される消臭剤や防虫剤は、単に被覆材の長さ方向の一端部に収めただけであった。そのため、衣類の収納環境を改善可能なこれらの充填剤をまとめて和服用保護棒に入れようとしたとき、それぞれの効能を十分に発揮できる有効な各充填剤の配置までは、特許文献１では検討されていなかった。
【０００６】
そこで、この発明は、衣類の折り返し部分一帯における畳み皺の発生を防止することができるとともに、衣類の折り返し部分からの抜け落ちがし難い衣類の畳み皺防止具を提供することを目的としている。
また、この発明は、竹炭、石灰石および珪藻土が個別に有した衣類に対する有効機能をそれぞれ効果的に発揮させることができる衣類の畳み皺防止具を提供することを目的としている。
さらに、この発明は、外装チューブの製造が容易な衣類の畳み皺防止具を提供することを目的としている。
【課題を解決するための手段】
【０００７】
請求項１に記載の発明は、着物および帯などの衣類の折り返し部分に挿入される衣類の畳み皺防止具において、涙滴筒形状で、かつその涙滴の先細端に該当する部分にシート部を有した外装チューブと、該外装チューブに挿入される涙滴棒形状のパッドとを備えた衣類の畳み皺防止具である。
【０００８】
請求項１に記載の発明によれば、使用時、衣類の折り返し部分の上に衣類の畳み皺防止具を置き、衣類を折り返す。これにより、衣類の折り返し部分から直ちに下側の布部分と上側の布部分とが接触して重なり合うことはなくなる。しかも、外装チューブとパッド、ひいては衣類の畳み皺防止具自体が、長さ方向に直交する断面が涙滴形状を有しているため、衣類はその流滴形状の傾斜した側面に該当する部分に沿って、連続的に（不断的に）徐々に折れ曲がって行く。これにより、前記折り返し部分およびその一帯に皺が発生するおそれが減少する。
【０００９】
また、衣類の畳み皺防止具を衣類の折り返し部分に挿入する際は、シート部を折り返し部分とは反対側に向けた状態で挿入される。そのため、衣類を折り返すと、薄いシート部が上側の布部分と下側の布部分との間で挟持される。これにより、折り畳んだ衣類を箪笥などに入れる場合、衣類が傾いても衣類の畳み皺防止具はその長さ方向へ位置ずれし難い。その結果、衣類の折り返し部分から衣類の畳み皺防止具の抜け落ちを防止することができる。
【００１０】
衣類としては、例えば着物（和服）、帯、羽織、洋服、スカーフなどを採用することができる。特に、布製の衣類、とりわけ薄地のものの方が、この発明の効果は顕著となる。
衣類の折り返し部分とは、例えば衣類を折り畳む際、折り返される部分である。
外装チューブは剛体でもよいし、湾曲自在な軟体でもよい。ただし、軟体チューブの方が好ましい。
外装チューブの素材は任意である。例えば、ポリプロピレン、ポリエチレンなどの合成樹脂を採用することができる。その他、紙、布帛（織布、不織布、編布）などでもよい。このうち、硫黄分を含まない合成樹脂であるポリプロピレンおよびポリエチレンの方が耐薬品性が高く、しかも製造が容易であるので好ましい。ポリプロピレンなどは硫黄分を含まないため、外装チューブから硫黄分が侵出して衣類を変色させることがない。
【００１１】
ここでいう涙滴筒形状（または涙滴棒形状）とは、外装チューブの長さ方向に直交した断面において、一端部がほぼ半円形状で、かつ他端部が、半径方向の外側へ向かうほど徐々に先細り化した筒形状（または棒形状）をいう。シート部はその一端部が、この涙滴筒形状の先細り化した他端位置に連結されている。
シート部の素材は任意である。外装チューブと同じ素材で一体的に形成したのでもよいし、別の素材で別体として形成したものでもよい。シート材は剛体でもよいし、軟体でもよい。シート部は、外装チューブの長さ方向の全域に設けてもよいし、その一部のみに設けてもよい。
【００１２】
シート幅（シート部の長さ方向と外装チューブの長さ方向とを揃えた状態でのシート部の幅）は限定されない。例えば１０〜３０ｍｍ、好ましくは２０ｍｍ前後である。
パッドの素材は任意である。例えば、各種の軟質発泡合成樹脂（ウレタンフォームなど）、各種のゴム（合成ゴム、天然ゴム）などを採用することができる。また、粒体、粉体または液体を、長さ方向の断面形状が涙滴の袋（パッド外袋）に封入したものでもよい。この場合、袋には各種の芳香剤、各種の防黴剤、各種の防虫剤などを１つの袋に対して１種類ずつ、または１つの袋に対して複数種類（全ての種類を含む）を入れてもよい。
パッドの大きさは、外装チューブに挿入可能であればよいものの、外装チューブの長さ方向に直交する断面積と略同じ断面積を有するものが好ましい。
【００１３】
請求項２に記載の発明は、前記外装チューブには通気孔が形成され、前記パッドは不織布製のパッド外袋を有し、該パッド外袋には、該パッド外袋の中心部から外周部へ向かって、竹炭と、石灰石と、珪藻土または麦飯石とが３層構造で順に収納された請求項１に記載の衣類の畳み皺防止具である。
【００１４】
請求項２に記載の発明によれば、外装チューブの通気孔およびパッド外袋の不織布を構成する単繊維の隙間を通して、パッド内の竹炭、石灰石、および、珪藻土または麦飯石が個別に有した衣類に対する有効機能をそれぞれ効果的に発揮させることができる。
竹炭（最外周の第３層の構成体）とは竹を蒸し焼きにして作製されたもので、主成分は活性炭（炭素）で、防臭、防虫および除湿効果を有する。しかも、マイナスイオンも発生させる。また、石灰石（第２層の構成体）は主成分が炭酸カルシウムで、脱臭、除湿、空気清浄作用を有している。珪藻土（中心の第１層の構成体）は主成分が多孔質の二酸化珪素水化物で、除湿、脱臭および防虫効果を有している。麦飯石は、主成分が長石（カルシウム）の多孔質材で、珪藻土と同等の除湿、脱臭および防虫効果を有している。
【００１５】
竹炭を最外周の第３層に配置したことで、パッドに収納された充填剤全体の衣類に対する効能は、竹炭の効能（防臭、除湿および防虫効果）が主となる。このうち、特に防臭および除湿の効能は、竹炭が活性炭として有効な期間だけ高い。すなわち、活性炭には多数の微細孔が存在し、この全体で大きな表面積となる孔壁に、空気中の水分や臭気成分が吸着されることにより、竹炭は防臭機能および除湿機能を発揮する。
これを踏まえて、竹炭の直ぐ内側には石灰石（第２層）が配置されている。石灰石は、主成分が炭酸カルシウムである。そのため、竹炭の水分が炭酸カルシウムに吸着（接触）されることで炭酸カルシウムは水和反応を起こし、消石灰（水酸化カルシウム）が生じる。これにより、竹炭の活性炭はその機能を回復する。
【００１６】
しかも、石灰石の直ぐ内側には珪藻土が配置されている。珪藻土または麦飯石は、多孔質で吸水性を有している。そのため、石灰石が水和反応で処理し切れなかった水分、および、竹炭に吸着された臭気成分を、珪藻土または麦飯石が吸着する。しかも、珪藻土または麦飯石は防虫機能も有している。以上のことから、衣類に対して、衣類の畳み皺防止具の主な効能を発揮する竹炭は、長期間にわたってその防臭機能、除湿機能および防虫機能を維持することができる。
なお、珪藻土または麦飯石を第２層とし、石灰石を第３層とすることも考えられる。しかしながら、こうすれば第２層が珪藻土の際、珪藻土は土質であるので粉末状となる場合があり、そのときには、粉末の珪藻土が石灰石の表面に付着し、石灰石の効能（除湿効果など）を発揮し難くするおそれがある。
【００１７】
パッド外袋の素材としては、例えばポリプロピレン、ポリエチレンなどを採用することができる。このうち、ポリプロピレンおよびポリエチレンは硫黄分を含まず、高い耐薬品性を有した合成樹脂である。そのため、通気孔付きのパッド外袋の製造が容易であるとともに、パッド外袋から硫黄分が侵出して衣類を変色させるおそれが解消される。
竹炭、石灰石および珪藻土または麦飯石のパッド外袋への各投入量は任意である。例えば、それぞれ等量でもよい。
また、竹炭、石灰石および珪藻土または麦飯石の好適な各粒径は任意である。例えば、これらの粒径を２〜３ｍｍとしてもよい。２ｍｍ未満では石灰石が水和反応を起こしたときに固まり易い。また、３ｍｍを超えると、パッドの外周面に凹凸が発生するおそれがある。
【００１８】
請求項３に記載の発明は、前記外装チューブは、１枚のポリプロピレン製のシートの両端部を重ね合わせて熱融着し、この熱融着部分を前記シート部とした請求項１または請求項２に記載の衣類の畳み皺防止具である。
【００１９】
請求項３に記載の発明によれば、外装チューブは、１枚のポリプロピレン製のシートの両端部を重ね合わせて熱融着し、この熱融着部分を前記シート部としたので、外装チューブの製造が容易になる。
【発明の効果】
【００２０】
請求項１に記載の発明によれば、涙滴筒形状で、かつその涙滴の先細端に該当する部分にシート部を有した外装チューブと、外装チューブに挿入される涙滴棒形状のパッドとを備えるようにしたので、衣類の折り返し部分一帯における畳み皺の発生を防止することができる。しかも、使用時における衣類の折り返し部分での高い位置安定性を得ることができる。
【００２１】
特に、請求項２に記載の発明によれば、外装チューブには通気孔が形成され、パッドは不織布製のパッド外袋を有し、パッド外袋には、パッド外袋の中心部から外周部へ向かって、竹炭と、石灰石と、珪藻土または麦飯石とを３層構造で順に収納するようにしたので、竹炭、石灰石、珪藻土または麦飯石の衣類に対する各効能をそれぞれ効果的に発揮させることができる。
【００２２】
また、請求項３に記載の発明によれば、外装チューブの製造時、１枚のポリプロピレン製のシートの両端部を重ね合わせて熱融着し、この熱融着部分をシート部としたので、シート部付きの外装チューブを容易に製造することができる。
【発明を実施するための最良の形態】
【００２３】
以下、この発明の実施例を具体的に説明する。ここでは着物（和服）用の衣類の畳み皺防止具を例とする。
【実施例１】
【００２４】
以下、図面を参照し、この発明の実施例１の衣類の畳み皺防止具を説明する。
図１および図２において、１０はこの発明の実施例１の衣類の畳み皺防止具で、この衣類の畳み皺防止具１０は、着物（衣類）１１の折り返し部分１１ａに挿入され、着物１１の折り返し部分１１ａにおける畳み皺の発生を防止するものである。
衣類の畳み皺防止具１０は、涙滴筒形状で、かつその涙滴の先細端に該当する部分にシート部１２を有した外装チューブ１３と、外装チューブ１３に挿入される涙滴棒形状のパッド１４とを備えている。
【００２５】
外装チューブ１３は、１枚のポリプロピレン製の矩形シート（長さが３１０ｍｍ、幅が１４０ｍｍ、厚さが０．２〜０．３ｍｍ）１５の幅方向の両端部１５ａを、幅２０ｍｍずつ重ね合わせて熱融着させたものである（図３および図４）。この熱融着部分がシート部１２となる。シート部１２を除く外装チューブ１３の全域には、直径５ｍｍの多数の通気孔１５ｂが、１０〜２０ｍｍピッチでマトリックス状に形成されている。
パッド１４は、ポリプロピレン単繊維の不織布からなるパッド外袋１６を有する（図１および図４）。パッド外袋１６には、パッド外袋１６の中心部から外周部へ向かって、竹炭１７と、石灰石１８と、珪藻土１９という各充填剤が３層構造で順に、使用時に各層間の粒同士が往来しない程度に窮屈に充填（収納）されている。なお、図１の二点鎖線に示すように、各層間を大小２つの不織布袋または不織布筒により仕切ってもよいし、接着剤により各層の粒を接着して固めてもよい。また、珪藻土に代えて麦飯石を採用してもよいし、珪藻土１９と麦飯石との両方を採用してもよい。
【００２６】
竹炭１７、石灰石１８および珪藻土１９の平均粒径はそれぞれ２．５ｍｍ程度である。パッド外袋１６への竹炭１７、石灰石１８および珪藻土１９の各投入量はそれぞれ等しい。これらを収納したパッド外袋１６の両開口部は、熱融着により封止される。得られたパッド１４は外装チューブ１３に挿入され、それから外装チューブ１３の両開口部はポリプロピレン製のキャップ２０によりそれぞれ封止（熱融着）される（図５）。なお、外装チューブ１３の少なくとも一端部を熱融着せずに着脱自在とすれば、例えば竹炭１７、石灰石１８および珪藻土１９などの効能が低下した際、パッド１４を交換することができる。また、小さいパッド外袋（例えば直径１０ｍｍ、長さ２７〜３０ｍｍの袋）を３つ作製し、１つ目のパッド外袋には竹炭１７のみ、２つ目のパッド外袋には石灰石１８のみ、３つ目のパッド外袋には珪藻土１９のみをそれぞれ封入してもよい。これにより、３種類の充填剤の全てがほぼ均等に個々の効能を発揮させることができる。
その後、パッド１４入りの外装チューブ１３を、涙滴筒形状を有した和紙製の外カバー２１に挿入する。これにより、衣類の畳み皺防止具１０が製造される（図１および図２）。
【００２７】
次に、この発明の実施例１に係る衣類の畳み皺防止具１０の使用方法を説明する。
図２に示すように、使用時、着物１１の折り返し部分１１ａの上に衣類の畳み皺防止具１０を、その長さ方向を折り畳みラインに対して平行に着物１１を折り返す。これにより、着物１１の折り返し部分１１ａから直ちに下側の布部分と上側の布部分とが接触して重なり合うことはなくなる。しかも、外装チューブ１３とパッド１４、ひいては衣類の畳み皺防止具１０自体が、長さ方向に直交する断面が涙滴形状となる。そのため、着物１１はその流滴形状の傾斜した側面に該当する部分に沿って、不断的に徐々に折れ曲がって行く。その結果、折り返し部分１１ａおよびその一帯には皺が発生し難い。
【００２８】
また、前述した衣類の畳み皺防止具１０を着物１１の折り返し部分１１ａに挿入する際には、シート部１２を折り返し部分１１ａとは反対側に向けた状態で挿入する。そのため、着物１１を折り返すと、薄いシート部１２が折り返された着物１１の上側の布部分と下側の布部分との間で挟持される。これにより、折り畳んだ着物１１を箪笥などに収納する場合、仮に着物１１が傾いても衣類の畳み皺防止具１０はその長さ方向へ位置ずれし難い。その結果、着物１１の折り返し部分１１ａから衣類の畳み皺防止具１０の抜け落ちが防止される。
【００２９】
さらに、外装チューブ１３の通気孔１５ｂおよびパッド外袋１６の不織布を構成する単繊維の隙間を通して、パッド１４内の竹炭１７、石灰石１８および珪藻土１９が個別に有した着物１１に対する有効機能をそれぞれ効果的に発揮させることができる。
竹炭１７は竹を炭焼き窯により蒸し焼きにしたもので、主成分は活性炭で、防臭、防虫および除湿効果を有する。しかも、マイナスイオンも発生させる。また、石灰石１８は主成分が炭酸カルシウムで、脱臭、除湿、空気清浄作用を有している。珪藻土１９は主成分が多孔質の二酸化珪素水化物で、除湿、脱臭および防虫効果を有している。
【００３０】
竹炭１７を最外周の第３層に配置したことで、パッド１４に収納された充填剤全体の衣類に対する効能は、上述した竹炭１７の効能が主となる。このうち、特に防臭および除湿の効能は、竹炭１７が活性炭として有効な期間だけ高い。すなわち、活性炭には多数の微細孔が存在し、この全体で大きな表面積となる孔壁に、空気中の水分や臭気成分が吸着されることにより、竹炭１７は防臭機能および除湿機能を発揮する。
これを踏まえて、竹炭１７の直ぐ内側には石灰石１８（第２層）が配置されている。石灰石１８は、主成分が炭酸カルシウムである。そのため、竹炭１７の水分が炭酸カルシウムと接触することで炭酸カルシウムは水和反応を起こし、消石灰（水酸化カルシウム）が生じる。これにより、竹炭１７の活性炭はその機能を回復する。
【００３１】
しかも、石灰石１８の直ぐ内側には珪藻土１９が配置されている。珪藻土１９は、多孔質で吸水性を有している。そのため、石灰石１８が水和反応で処理し切れなかった水分、および、竹炭１７に吸着された臭気成分を、珪藻土１９が吸着する。しかも、珪藻土１９は防虫機能も有している。以上のことから、衣類に対して衣類の畳み皺防止具１０の主な効能を発揮する竹炭１７は、長期間にわたってその防臭機能、除湿機能および防虫機能が維持されることになる。
また、ここでは１枚のポリプロピレン製のシートの両端部を重ね合わせ、この重ね合わせた部分をシート部１２として熱融着することで外装チューブ１３を作製したので、外装チューブ１３の製造が容易になる。
さらに、ここではパッド１４入りの外装チューブ１３を和紙製の外カバー２１により被ったので、外カバー２１が滑り止めとなり、使用時、衣類の畳み皺防止具１０が着物１１の折り返し部分１１ａで位置ずれし難くなる。
【図面の簡単な説明】
【００３２】
【図１】この発明の実施例１に係る衣類の畳み皺防止具の縦断面図である。
【図２】この発明の実施例１に係る衣類の畳み皺防止具の使用状態の斜視図である。
【図３】この発明の実施例１に係る衣類の畳み皺防止具の一部を構成する外装シートの展開図である。
【図４】この発明の実施例１に係る衣類の畳み皺防止具における外装チューブへのパッドの挿入作業を示す斜視図である。
【図５】この発明の実施例１に係る衣類の畳み皺防止具における外カバーへの外装チューブの挿入作業を示す斜視図である。
【符号の説明】
【００３３】
１０  衣類の畳み皺防止具、
１１  着物（衣類）、
１１ａ  折り返し部分、
１２  シート部、
１３  外装チューブ、
１４  パッド、
１５ｂ  通気孔、
１６  パッド外袋、
１７  竹炭、
１８  石灰石、
１９  珪藻土。
【図１】
2007202620.tif 000003
【図２】
2007202620.tif 000004
【図３】
2007202620.tif 000005
【図４】
2007202620.tif 000006
【図５】
2007202620.tif 000007
【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
着物および帯などの衣類の折り返し部分に挿入される衣類の畳み皺防止具において、
涙滴筒形状で、かつその涙滴の先細端に該当する部分にシート部を有した外装チューブと、
該外装チューブに挿入される涙滴棒形状のパッドと、
前記外装チューブを被う和紙製で涙滴形状の外カバーとを備え、
前記シート部を除く外装チューブの全域には通気孔が形成され、
前記パッドは不織布製のパッド外袋を有し、
該パッド外袋には、該パッド外袋の外周部から中心部へ向かって、それぞれ粒径が２〜３ｍｍの竹炭と、石灰石と、珪藻土または麦飯石とが３層構造で順に充填され、各層間は不織布袋または不織布筒により仕切られた衣類の畳み皺防止具。
【手続補正２】
【補正対象書類名】明細書
【補正対象項目名】全文
【補正方法】変更
【補正の内容】
【発明の詳細な説明】
【技術分野】
【０００１】
この発明は衣類の畳み皺防止具、詳しくは着物や帯といった衣類の折り返し部分の内側に挟み込まれ、衣類を折り畳んだ際の皺の発生を防止する衣類の畳み皺防止具に関する。
【背景技術】
【０００２】
和服（着物、帯、羽織など）は、矩形状に折り畳んだ後、文庫紙に包んでから箪笥や専用の収納箱に収めて保管されている。
和服は着用の機会が少ないことから長期にわたって保管されがちである。しかも、保管時には、複数枚の着物を重ねた状態で保管される場合が多い。そのため、保管中、着物の折り返し部分に畳み皺が発生し易い。
【０００３】
そこで、これを解消するものとして、従来、例えば特許文献１の和服用保護棒が開発されている。これは、適度の弾力性を有する円柱状の芯材と、この芯材の周囲に巻回される整形材と、整形材の周囲に巻回され、その両端が係止される被覆材とにより構成されたものである。また、特許文献１の明細書中には、被覆材の長さ方向の一端部内に芳香剤を入れてもよいことが記載されている。なお、状況に応じては芳香剤に代えて、消臭剤、防虫剤の使用もよいと開示されている。
【０００４】
特許文献１の使用時には、和服用保護棒を着物の折り返し部分の内側に挿入する。これにより、着物の折り返し部分に発生する折り皺を防ぐ。芳香剤を被覆材内に入れた場合には、服に香りが移り、香りも楽しめる。
【特許文献１】実開平６−７９３７２号公報
【発明の開示】
【発明が解決しようとする課題】
【０００５】
しかしながら、特許文献１では芯材が円柱状であった。これにより、着物の折り返し部分から直ちに下側の布と上側の布とが接触して重なり合うことはないものの、和服用保護棒の支持から外れた直後から大きく折れ曲がっていた。その結果、この外れた部分に皺が生じていた。
しかも、このように芯材が円柱状であったため、和服用保護棒が挿着された着物を箪笥などに入れるとき、着物が傾いた際に和服用保護棒がその長さ方向へ位置ずれし、折り返し部分から抜け落ち易かった。
また、芳香剤、状況に応じて使用される消臭剤や防虫剤は、単に被覆材の長さ方向の一端部に収めただけであった。そのため、衣類の収納環境を改善可能なこれらの充填剤をまとめて和服用保護棒に入れようとしたとき、それぞれの効能を十分に発揮できる有効な各充填剤の配置までは、特許文献１では検討されていなかった。
【０００６】
そこで、この発明は、衣類の折り返し部分一帯における畳み皺の発生を防止することができるとともに、衣類の折り返し部分からの抜け落ちがし難い衣類の畳み皺防止具を提供することを目的としている。
また、この発明は、竹炭、石灰石および珪藻土が個別に有した衣類に対する有効機能をそれぞれ効果的に発揮させることができる衣類の畳み皺防止具を提供することを目的としている。
【課題を解決するための手段】
【０００７】
請求項１に記載の発明は、着物および帯などの衣類の折り返し部分に挿入される衣類の畳み皺防止具において、涙滴筒形状で、かつその涙滴の先細端に該当する部分にシート部を有した外装チューブと、該外装チューブに挿入される涙滴棒形状のパッドと、前記外装チューブを被う和紙製で涙滴形状の外カバーとを備え、前記シート部を除く外装チューブの全域には通気孔が形成され、前記パッドは不織布製のパッド外袋を有し、該パッド外袋には、該パッド外袋の外周部から中心部へ向かって、それぞれ粒径が２〜３ｍｍの竹炭と、石灰石と、珪藻土または麦飯石とが３層構造で順に充填され、各層間は不織布袋または不織布筒により仕切られた衣類の畳み皺防止具である。
【０００８】
請求項１に記載の発明によれば、使用時、衣類の折り返し部分の上に衣類の畳み皺防止具を置き、衣類を折り返す。これにより、衣類の折り返し部分から直ちに下側の布部分と上側の布部分とが接触して重なり合うことはなくなる。しかも、外装チューブとパッド、ひいては衣類の畳み皺防止具自体が、長さ方向に直交する断面が涙滴形状を有しているため、衣類はその流滴形状の傾斜した側面に該当する部分に沿って、連続的に（不断的に）徐々に折れ曲がって行く。これにより、前記折り返し部分およびその一帯に皺が発生するおそれが減少する。
【０００９】
また、衣類の畳み皺防止具を衣類の折り返し部分に挿入する際は、シート部を折り返し部分とは反対側に向けた状態で挿入される。そのため、衣類を折り返すと、薄いシート部が上側の布部分と下側の布部分との間で挟持される。これにより、折り畳んだ衣類を箪笥などに入れる場合、衣類が傾いても衣類の畳み皺防止具はその長さ方向へ位置ずれし難い。その結果、衣類の折り返し部分から衣類の畳み皺防止具の抜け落ちを防止することができる。
【００１０】
外装チューブの通気孔およびパッド外袋の不織布を構成する単繊維の隙間、パッド外袋をそれぞれ仕切る不織布袋または不織布筒を通して、パッド内の竹炭、石灰石、および、珪藻土または麦飯石が個別に有した衣類に対する有効機能をそれぞれ効果的に発揮させることができる。
竹炭（最外周の第３層の構成体）とは竹を蒸し焼きにして作製されたもので、主成分は活性炭（炭素）で、防臭、防虫および除湿効果を有する。しかも、マイナスイオンも発生させる。また、石灰石（第２層の構成体）は主成分が炭酸カルシウムで、脱臭、除湿、空気清浄作用を有している。珪藻土（中心の第１層の構成体）は主成分が多孔質の二酸化珪素水化物で、除湿、脱臭および防虫効果を有している。麦飯石は、主成分が長石（カルシウム）の多孔質材で、珪藻土と同等の除湿、脱臭および防虫効果を有している。
【００１１】
竹炭を最外周の第３層に配置したことで、パッドに収納された充填剤全体の衣類に対する効能は、竹炭の効能（防臭、除湿および防虫効果）が主となる。このうち、特に防臭および除湿の効能は、竹炭が活性炭として有効な期間だけ高い。すなわち、活性炭には多数の微細孔が存在し、この全体で大きな表面積となる孔壁に、空気中の水分や臭気成分が吸着されることにより、竹炭は防臭機能および除湿機能を発揮する。
これを踏まえて、竹炭の直ぐ内側には石灰石（第２層）が配置されている。石灰石は、主成分が炭酸カルシウムである。そのため、竹炭の水分が炭酸カルシウムに吸着（接触）されることで炭酸カルシウムは水和反応を起こし、消石灰（水酸化カルシウム）が生じる。これにより、竹炭の活性炭はその機能を回復する。
【００１２】
しかも、石灰石の直ぐ内側には珪藻土が配置されている。珪藻土または麦飯石は、多孔質で吸水性を有している。そのため、石灰石が水和反応で処理し切れなかった水分、および、竹炭に吸着された臭気成分を、珪藻土または麦飯石が吸着する。しかも、珪藻土または麦飯石は防虫機能も有している。以上のことから、衣類に対して、衣類の畳み皺防止具の主な効能を発揮する竹炭は、長期間にわたってその防臭機能、除湿機能および防虫機能を維持することができる。
なお、珪藻土または麦飯石を第２層とし、石灰石を第３層とすることも考えられる。しかしながら、こうすれば第２層が珪藻土の際、珪藻土は土質であるので粉末状となる場合があり、そのときには、粉末の珪藻土が石灰石の表面に付着し、石灰石の効能（除湿効果など）を発揮し難くするおそれがある。
【００１３】
衣類としては、例えば着物（和服）、帯、羽織、洋服、スカーフなどを採用することができる。特に、布製の衣類、とりわけ薄地のものの方が、この発明の効果は顕著となる。
衣類の折り返し部分とは、例えば衣類を折り畳む際、折り返される部分である。
外装チューブは剛体でもよいし、湾曲自在な軟体でもよい。ただし、軟体チューブの方が好ましい。
外装チューブの素材は任意である。例えば、ポリプロピレン、ポリエチレンなどの合成樹脂を採用することができる。その他、紙、布帛（織布、不織布、編布）などでもよい。このうち、硫黄分を含まない合成樹脂であるポリプロピレンおよびポリエチレンの方が耐薬品性が高く、しかも製造が容易であるので好ましい。ポリプロピレンなどは硫黄分を含まないため、外装チューブから硫黄分が侵出して衣類を変色させることがない。
【００１４】
ここでいう涙滴筒形状（または涙滴棒形状）とは、外装チューブの長さ方向に直交した断面において、一端部がほぼ半円形状で、かつ他端部が、半径方向の外側へ向かうほど徐々に先細り化した筒形状（または棒形状）をいう。シート部はその一端部が、この涙滴筒形状の先細り化した他端位置に連結されている。
シート部の素材は任意である。外装チューブと同じ素材で一体的に形成したのでもよいし、別の素材で別体として形成したものでもよい。シート材は剛体でもよいし、軟体でもよい。シート部は、外装チューブの長さ方向の全域に設けてもよいし、その一部のみに設けてもよい。
【００１５】
シート幅（シート部の長さ方向と外装チューブの長さ方向とを揃えた状態でのシート部の幅）は限定されない。例えば１０〜３０ｍｍ、好ましくは２０ｍｍ前後である。
パッドの素材は任意である。例えば、各種の軟質発泡合成樹脂（ウレタンフォームなど）、各種のゴム（合成ゴム、天然ゴム）などを採用することができる。また、粒体、粉体または液体を、長さ方向の断面形状が涙滴の袋（パッド外袋）に封入したものでもよい。この場合、袋には各種の芳香剤、各種の防黴剤、各種の防虫剤などを１つの袋に対して１種類ずつ、または１つの袋に対して複数種類（全ての種類を含む）を入れてもよい。
パッドの大きさは、外装チューブに挿入可能であればよいものの、外装チューブの長さ方向に直交する断面積と略同じ断面積を有するものが好ましい。
【００１６】
パッド外袋の素材としては、例えばポリプロピレン、ポリエチレンなどを採用することができる。このうち、ポリプロピレンおよびポリエチレンは硫黄分を含まず、高い耐薬品性を有した合成樹脂である。そのため、通気孔付きのパッド外袋の製造が容易であるとともに、パッド外袋から硫黄分が侵出して衣類を変色させるおそれが解消される。
竹炭、石灰石および珪藻土または麦飯石のパッド外袋への各投入量は任意である。例えば、それぞれ等量でもよい。
また、竹炭、石灰石および珪藻土または麦飯石の各粒径は２〜３ｍｍである。２ｍｍ未満では石灰石が水和反応を起こしたときに固まり易い。また、３ｍｍを超えると、パッドの外周面に凹凸が発生するおそれがある。
【００１７】
外装チューブは、１枚のポリプロピレン製のシートの両端部を重ね合わせて熱融着し、この熱融着部分をシート部としてもよい。これにより、外装チューブの製造が容易になる。
【発明の効果】
【００１８】
請求項１に記載の発明によれば、涙滴筒形状で、かつその涙滴の先細端に該当する部分にシート部を有した外装チューブと、外装チューブに挿入される涙滴棒形状のパッドとを備えるようにしたので、衣類の折り返し部分一帯における畳み皺の発生を防止することができる。しかも、使用時における衣類の折り返し部分での高い位置安定性を得ることができる。
また、外装チューブには通気孔が形成され、パッドは不織布製のパッド外袋を有し、パッド外袋には、パッド外袋の外周部から中心部へ向かって、竹炭と、石灰石と、珪藻土または麦飯石とを３層構造で順に収納するようにしたので、竹炭、石灰石、珪藻土または麦飯石の衣類に対する各効能をそれぞれ効果的に発揮させることができる。
【発明を実施するための最良の形態】
【００１９】
以下、この発明の実施例を具体的に説明する。ここでは着物（和服）用の衣類の畳み皺防止具を例とする。
【実施例１】
【００２０】
以下、図面を参照し、この発明の実施例１の衣類の畳み皺防止具を説明する。
図１および図２において、１０はこの発明の実施例１の衣類の畳み皺防止具で、この衣類の畳み皺防止具１０は、着物（衣類）１１の折り返し部分１１ａに挿入され、着物１１の折り返し部分１１ａにおける畳み皺の発生を防止するものである。
衣類の畳み皺防止具１０は、涙滴筒形状で、かつその涙滴の先細端に該当する部分にシート部１２を有した外装チューブ１３と、外装チューブ１３に挿入される涙滴棒形状のパッド１４とを備えている。
【００２１】
外装チューブ１３は、１枚のポリプロピレン製の矩形シート（長さが３１０ｍｍ、幅が１４０ｍｍ、厚さが０．２〜０．３ｍｍ）１５の幅方向の両端部１５ａを、幅２０ｍｍずつ重ね合わせて熱融着させたものである（図３および図４）。この熱融着部分がシート部１２となる。シート部１２を除く外装チューブ１３の全域には、直径５ｍｍの多数の通気孔１５ｂが、１０〜２０ｍｍピッチでマトリックス状に形成されている。
パッド１４は、ポリプロピレン単繊維の不織布からなるパッド外袋１６を有する（図１および図４）。パッド外袋１６には、パッド外袋１６の外周部から中心部へ向かって、竹炭１７と、石灰石１８と、珪藻土１９という各充填剤が３層構造で順に、使用時に各層間の粒同士が往来しない程度に窮屈に充填（収納）されている。なお、図１の二点鎖線に示すように、各層間を大小２つの不織布袋または不織布筒により仕切ってもよいし、接着剤により各層の粒を接着して固めてもよい。また、珪藻土に代えて麦飯石を採用してもよいし、珪藻土１９と麦飯石との両方を採用してもよい。
【００２２】
竹炭１７、石灰石１８および珪藻土１９の平均粒径はそれぞれ２．５ｍｍ程度である。パッド外袋１６への竹炭１７、石灰石１８および珪藻土１９の各投入量はそれぞれ等しい。これらを収納したパッド外袋１６の両開口部は、熱融着により封止される。得られたパッド１４は外装チューブ１３に挿入され、それから外装チューブ１３の両開口部はポリプロピレン製のキャップ２０によりそれぞれ封止（熱融着）される（図５）。なお、外装チューブ１３の少なくとも一端部を熱融着せずに着脱自在とすれば、例えば竹炭１７、石灰石１８および珪藻土１９などの効能が低下した際、パッド１４を交換することができる。また、小さいパッド外袋（例えば直径１０ｍｍ、長さ２７〜３０ｍｍの袋）を３つ作製し、１つ目のパッド外袋には竹炭１７のみ、２つ目のパッド外袋には石灰石１８のみ、３つ目のパッド外袋には珪藻土１９のみをそれぞれ封入してもよい。これにより、３種類の充填剤の全てがほぼ均等に個々の効能を発揮させることができる。
その後、パッド１４入りの外装チューブ１３を、涙滴筒形状を有した和紙製の外カバー２１に挿入する。これにより、衣類の畳み皺防止具１０が製造される（図１および図２）。
【００２３】
次に、この発明の実施例１に係る衣類の畳み皺防止具１０の使用方法を説明する。
図２に示すように、使用時、着物１１の折り返し部分１１ａの上に衣類の畳み皺防止具１０を、その長さ方向を折り畳みラインに対して平行に着物１１を折り返す。これにより、着物１１の折り返し部分１１ａから直ちに下側の布部分と上側の布部分とが接触して重なり合うことはなくなる。しかも、外装チューブ１３とパッド１４、ひいては衣類の畳み皺防止具１０自体が、長さ方向に直交する断面が涙滴形状となる。そのため、着物１１はその流滴形状の傾斜した側面に該当する部分に沿って、不断的に徐々に折れ曲がって行く。その結果、折り返し部分１１ａおよびその一帯には皺が発生し難い。
【００２４】
また、前述した衣類の畳み皺防止具１０を着物１１の折り返し部分１１ａに挿入する際には、シート部１２を折り返し部分１１ａとは反対側に向けた状態で挿入する。そのため、着物１１を折り返すと、薄いシート部１２が折り返された着物１１の上側の布部分と下側の布部分との間で挟持される。これにより、折り畳んだ着物１１を箪笥などに収納する場合、仮に着物１１が傾いても衣類の畳み皺防止具１０はその長さ方向へ位置ずれし難い。その結果、着物１１の折り返し部分１１ａから衣類の畳み皺防止具１０の抜け落ちが防止される。
【００２５】
さらに、外装チューブ１３の通気孔１５ｂおよびパッド外袋１６の不織布を構成する単繊維の隙間を通して、パッド１４内の竹炭１７、石灰石１８および珪藻土１９が個別に有した着物１１に対する有効機能をそれぞれ効果的に発揮させることができる。
竹炭１７は竹を炭焼き窯により蒸し焼きにしたもので、主成分は活性炭で、防臭、防虫および除湿効果を有する。しかも、マイナスイオンも発生させる。また、石灰石１８は主成分が炭酸カルシウムで、脱臭、除湿、空気清浄作用を有している。珪藻土１９は主成分が多孔質の二酸化珪素水化物で、除湿、脱臭および防虫効果を有している。
【００２６】
竹炭１７を最外周の第３層に配置したことで、パッド１４に収納された充填剤全体の衣類に対する効能は、上述した竹炭１７の効能が主となる。このうち、特に防臭および除湿の効能は、竹炭１７が活性炭として有効な期間だけ高い。すなわち、活性炭には多数の微細孔が存在し、この全体で大きな表面積となる孔壁に、空気中の水分や臭気成分が吸着されることにより、竹炭１７は防臭機能および除湿機能を発揮する。
これを踏まえて、竹炭１７の直ぐ内側には石灰石１８（第２層）が配置されている。石灰石１８は、主成分が炭酸カルシウムである。そのため、竹炭１７の水分が炭酸カルシウムと接触することで炭酸カルシウムは水和反応を起こし、消石灰（水酸化カルシウム）が生じる。これにより、竹炭１７の活性炭はその機能を回復する。
【００２７】
しかも、石灰石１８の直ぐ内側には珪藻土１９が配置されている。珪藻土１９は、多孔質で吸水性を有している。そのため、石灰石１８が水和反応で処理し切れなかった水分、および、竹炭１７に吸着された臭気成分を、珪藻土１９が吸着する。しかも、珪藻土１９は防虫機能も有している。以上のことから、衣類に対して衣類の畳み皺防止具１０の主な効能を発揮する竹炭１７は、長期間にわたってその防臭機能、除湿機能および防虫機能が維持されることになる。
また、ここでは１枚のポリプロピレン製のシートの両端部を重ね合わせ、この重ね合わせた部分をシート部１２として熱融着することで外装チューブ１３を作製したので、外装チューブ１３の製造が容易になる。
さらに、ここではパッド１４入りの外装チューブ１３を和紙製の外カバー２１により被ったので、外カバー２１が滑り止めとなり、使用時、衣類の畳み皺防止具１０が着物１１の折り返し部分１１ａで位置ずれし難くなる。
【図面の簡単な説明】
【００２８】
【図１】この発明の実施例１に係る衣類の畳み皺防止具の縦断面図である。
【図２】この発明の実施例１に係る衣類の畳み皺防止具の使用状態の斜視図である。
【図３】この発明の実施例１に係る衣類の畳み皺防止具の一部を構成する外装シートの展開図である。
【図４】この発明の実施例１に係る衣類の畳み皺防止具における外装チューブへのパッドの挿入作業を示す斜視図である。
【図５】この発明の実施例１に係る衣類の畳み皺防止具における外カバーへの外装チューブの挿入作業を示す斜視図である。
【符号の説明】
【００２９】
１０  衣類の畳み皺防止具、
１１  着物（衣類）、
１１ａ  折り返し部分、
１２  シート部、
１３  外装チューブ、
１４  パッド、
１５ｂ  通気孔、
１６  パッド外袋、
１７  竹炭、
１８  石灰石、
１９  珪藻土。